(57)【要約】【課題】トンネル内に設置されるのに好適な引き戸式であり、かつ自然には外れることのない消火器扉を備えた消火栓装置及び消火器箱を得る。【解決手段】本発明に係る消火栓装置１は、消火器を収納する消火器収納部３を有し前面が開口した開口部９を有する筺体５と、筺体５の前面を覆う前面パネル７と、前面パネル７における消火器収納部３に対応する部位に開閉可能に設けられた消火器扉１１とを備えたものであって、消火器扉１１は、開口部９の周縁に設けられた枠体３１と、枠体３１内にスライド可能に設けられた開閉扉３３と、枠体３１内に固定設置された固定扉３５とを有し、開閉扉３３と固定扉３５はそれぞれ枠体３１の所定の位置で取り外し可能に設置され、開閉扉３３の取り外し位置では、開閉扉３３が固定扉３５と干渉して、固定扉３５を取り外さないと取り外しができないように構成されていることを特徴とする。【選択図】  図１
2019005343.tif 000002
【特許請求の範囲】
【請求項１】
消火器を収納する消火器収納部を有し前面が開口した開口部を有する筺体と、該筺体の前面を覆う前面パネルと、該前面パネルにおける前記消火器収納部に対応する部位に開閉可能に設けられた消火器扉とを備えた消火栓装置であって、
前記消火器扉は、前記開口部の周縁に設けられた枠体と、該枠体内にスライド可能に設けられた開閉扉と、前記枠体内に固定設置された固定扉とを有し、
前記開閉扉と前記固定扉はそれぞれ前記枠体の所定の位置で取り外し可能に設置され、前記開閉扉の取り外し位置では、前記開閉扉が前記固定扉と干渉して、固定扉を取り外さないと取り外しができないように構成されていることを特徴とする消火栓装置。
【請求項２】
前記固定扉は、前記枠体に係止する係止部を有し、該係止部の前記枠体への係止を外した状態で枠体内を取り外し位置に移動できるようになっていることを特徴とする請求項１記載の消火栓装置。
【請求項３】
前記開閉扉が取り外し可能な所定位置は、前記開閉扉を全閉状態から開いた位置であることを特徴とする請求項１又は２に記載の消火栓装置。
【請求項４】
消火器を収納する消火器収納部を有し前面が開口した開口部を有する筺体と、該筺体の前面を覆う前面パネルと、該前面パネルにおける前記消火器収納部に対応する部位に開閉可能に設けられた消火器扉とを備えた消火器箱であって、
前記消火器扉は、前記開口部の周縁に設けられた枠体と、該枠体内にスライド可能に設けられた開閉扉と、枠体内にスライドしないように固定された固定扉とを有し、
前記開閉扉と前記固定扉はそれぞれ前記枠体の所定の位置で取り外し可能に設置され、前記開閉扉の取り外し位置では、前記開閉扉が前記固定扉と干渉して、固定扉を取り外さないと取り外しができないように構成されていることを特徴とする消火器箱。
【請求項５】
前記固定扉は、前記枠体に係止する係止部を有し、該係止部の前記枠体への係止を外した状態で枠体内を取り外し位置に移動できるようになっていることを特徴とする請求項４記載の消火器箱。
【請求項６】
前記開閉扉が取り外し可能な所定位置は、前記開閉扉を全閉状態から開いた位置であることを特徴とする請求項４又は５に記載の消火器箱。
【発明の詳細な説明】
【技術分野】
【０００１】
本発明は、トンネル等に設置される消火栓装置及び消火器箱に関する。
【背景技術】
【０００２】
トンネル等に設置される消火栓装置の例としては、例えば特許文献１に開示されたように、消火栓本体を監視員通路の上のトンネル壁面に形成された箱抜き部分に設置されるものがある。
【０００３】
そして、特許文献１の図２に示されるように、消火器扉は矩形状の片側にハンドルを設け、ハンドルと反対側の辺部に回動軸のある回転開閉式のものが一般的である。
しかし、回転開閉式の場合には、監視員通路から開閉操作をする際に回転軌道が大きくなると操作しづらいという問題がある。
【０００４】
また、消火栓装置を、監視員通路に埋め込むように設置することも考えられるが（特許文献２参照）、その場合、消火器扉が回転開閉式の場合には、回転軌道が車道側に出っ張ることが考えられ、好ましくない。
そこで、消火器扉の開閉機構を回転開閉式ではなく、引き戸式にすることが考えられる。
【先行技術文献】
【特許文献】
【０００５】
【特許文献１】特開２０１５−４４０３９号公報
【特許文献２】特開２００１−９０５３号公報
【発明の概要】
【発明が解決しようとする課題】
【０００６】
消火器扉を引き戸式にした場合、回転開閉式のように扉が取り付けられる開口部を全開することができないため、メンテナンス等を考えると扉を取り外せる構造にする必要がある。
その一方で、トンネル内に消火栓装置を取り付けた場合、通行する車によって生ずる風圧等で扉が外れると危険であるため、自然には外れない構造にする必要がある。そこで、引き戸式であり、かつ自然には外れることのない消火器扉を備えた消火栓装置の開発が望まれていた。ここで、「自然には」とは、人間が意図的に外す操作をした場合以外の、例えばトンネル内に生ずる振動、風圧等の外力の作用によってはという意味である。
【０００７】
なお、トンネル内に設置される消火用の機器を収納するものとして消火器を収納する消火器箱があるが、消火器箱についても上述の消火栓装置と同様の要請が存在する。
【０００８】
本発明はかかる課題を解決するためになされたものであり、トンネル内に設置されるのに好適な引き戸式であり、かつ自然には外れることのない消火器扉を備えた消火栓装置及び消火器箱を得ることを目的としている。
【課題を解決するための手段】
【０００９】
（１）本発明に係る消火栓装置は、消火器を収納する消火器収納部を有し前面が開口した開口部を有する筺体と、該筺体の前面を覆う前面パネルと、該前面パネルにおける前記消火器収納部に対応する部位に開閉可能に設けられた消火器扉とを備えた消火栓装置であって、
前記消火器扉は、前記開口部の周縁に設けられた枠体と、該枠体内にスライド可能に設けられた開閉扉と、前記枠体内に固定設置された固定扉とを有し、
前記開閉扉と前記固定扉はそれぞれ前記枠体の所定の位置で取り外し可能に設置され、前記開閉扉の取り外し位置では、前記開閉扉が前記固定扉と干渉して、固定扉を取り外さないと取り外しができないように構成されていることを特徴とするものである。
【００１０】
（２）また、上記（１）に記載のものにおいて、前記固定扉は、前記枠体に係止する係止部を有し、該係止部の前記枠体への係止を外した状態で枠体内を取り外し位置に移動できるようになっていることを特徴とするものである。
【００１１】
（３）また、上記（１）又は（２）に記載のものにおいて、前記開閉扉が取り外し可能な所定位置は、前記開閉扉を全閉状態から開いた位置であることを特徴とするものである。
【００１２】
（４）また、本発明に係る消火器箱は、消火器を収納する消火器収納部を有し前面が開口した開口部を有する筺体と、該筺体の前面を覆う前面パネルと、該前面パネルにおける前記消火器収納部に対応する部位に開閉可能に設けられた消火器扉とを備えた消火器箱であって、
前記消火器扉は、前記開口部の周縁に設けられた枠体と、該枠体内にスライド可能に設けられた開閉扉と、枠体内にスライドしないように固定された固定扉とを有し、
前記開閉扉と前記固定扉はそれぞれ前記枠体の所定の位置で取り外し可能に設置され、前記開閉扉の取り外し位置では、前記開閉扉が前記固定扉と干渉して、固定扉を取り外さないと取り外しができないように構成されていることを特徴とするものである。
【００１３】
（５）また、上記（４）に記載のものにおいて、前記固定扉は、前記枠体に係止する係止部を有し、該係止部の前記枠体への係止を外した状態で枠体内を取り外し位置に移動できるようになっていることを特徴とするものである。
【００１４】
（６）また、上記（４）又は（５）に記載のものにおいて、前記開閉扉が取り外し可能な所定位置は、前記開閉扉を全閉状態から開いた位置であることを特徴とするものである。
【発明の効果】
【００１５】
本発明に係る消火栓装置は、消火器扉を、開口部の周縁に設けられた枠体と、該枠体内にスライド可能に設けられた開閉扉と、前記枠体内に固定設置された固定扉とを有し、前記開閉扉と前記固定扉はそれぞれ前記枠体の所定の位置で取り外し可能に設置され、前記開閉扉の取り外し位置では、前記開閉扉が前記固定扉と干渉して、固定扉を取り外さないと取り外しができないように構成したことにより、引き戸式であるため開閉に際して消火器扉の前方に張出すことがなく、消火器扉の前面側にスペースが不要であると共に、固定扉を取り外さないと開閉扉が外れないことで、消火栓装置をトンネル内に設置して車の走行等に伴う振動や風圧を受けても開閉扉が不用意に外れることがなく安全である。
また、メンテナンス等において消火器扉を外す必要がある際には、固定扉と開閉扉の両方を取り外すことができ、メンテナンス等にも好適である。
【図面の簡単な説明】
【００１６】
【図１】本発明の実施の形態に係る消火栓装置の正面図である。
【図２】図１に示した消火栓装置の消火器扉を背面側から見た状態の斜視図である。
【図３】図２に示した消火器扉の分解斜視図である。
【図４】消火器扉における開閉扉及び固定扉の取り外し方法の説明図である（その１）。
【図５】消火器扉における開閉扉及び固定扉の取り外し方法の説明図である（その２）。
【図６】図５に示した状態の正面図、平面図、側面図である。
【図７】本発明に係る消火栓装置が設置される監視員通路に設けられる設置用空間の説明図である。
【発明を実施するための形態】
【００１７】
本実施の形態に係る消火栓装置１は、トンネル内に設置されるのに好適なものであるが、その設置場所は特に限定されるものではない。もっとも、トンネル内の車道の路肩に構築された監視員通路に設けられた設置用空間内に設置されるのに好適であるため、まず、消火栓装置１が設置される監視員通路の設置用空間について図７に基づいて説明する。
図７は、トンネルの路肩の監視員通路の一部を示したものであり、図中、８１はトンネル壁面、８３は監視員通路、８５は車道である。
【００１８】
設置用空間８７は、図７に示すように、監視員通路８３の前壁８９から監視員通路８３の車道幅方向に切り欠くように設けられ、車道幅方向断面では設置用空間８７を形成する壁がＬ字形状になっている。このような設置用空間８７が設けられることで監視員通路８３の路面には開口部が形成される。そして、該開口部の開口縁部９１の３辺は、後述する図１に示す消火栓装置１の天板部１５の張出し部１７が載置されるため、一段低くなった段部になっている。
【００１９】
上記のような設置用空間８７に設置される本実施の形態の消火栓装置１を、その特徴である消火器扉１１を中心に図１〜図３に基づいて説明する。
なお、本明細書において方向を示す用語としての「前方」とは消火栓装置１を例えば設置用空間８７に設置した場合における車道側であり、「後方」とは「前方」の反対側すなわちトンネル壁面８１側をいう。
【００２０】
本実施の形態の消火栓装置１は、消火器を収納する消火器収納部３を有し前面が開口した筺体５と、筺体５の前面を覆う前面パネル７と、前面パネル７における消火器収納部３に対応する部位に設けられた開口部９に開閉可能に設けられた消火器扉１１とを備えている。
筺体５は箱型の本体部１３と本体部１３の上面の天板部１５を備えており、天板部１５は、本体部１３と一体的に連結されており、本体部１３の側面外周部から外方に張出す張出し部１７を有している。
【００２１】
本体部１３の内部には、内巻きに巻き回されたホースを収納するホース収納部１９および消火器を立てた状態で収納する消火器収納部３が設けられている。
また、前面パネル７におけるホース収納部１９に対応する部位には前面開口部２１が設けられ、前面開口部２１には上下方向にスライドして開閉可能に設けられた前面扉２３が設けられている。
前面扉２３の開扉状態では、前面開口部２１の上側が開放された状態になり、ホースを引き出すことができる。
また、前面パネル７には赤色表示灯２５、非常時を監視員に知らせるための非常ボタン２７、非常ボタン２７を押したときに点灯する非常ランプ２９が設けられている。
【００２２】
消火器扉１１は、図２、図３に示すように、前面パネル７における開口部９の周縁に設けられた枠体３１と、枠体３１内にスライド可能に設けられた開閉扉３３と、枠体３１内に固定された固定扉３５とを有している。
以下、消火器扉１１の構造を詳細に説明する。
【００２３】
＜枠体＞
枠体３１は、矩形状からなり、底辺部３７には、開閉扉３３の下辺がスライドするためのスライド溝３９がほぼ全幅に設けられ、固定扉３５が設置される側には固定扉載置面部４１が設けられている。そして、固定扉載置面部４１には、固定扉３５に設けられた後述の係止突起６９が係止する係止穴４３が形成されている。
【００２４】
上辺部４５には、開閉扉３３の戸車５９が走行する走行路４７が設けられており、走行路４７の上方には走行路４７と所定間隔を離して開閉扉３３が浮き上がるのを防止するための浮上防止片４９が設けられている。そして、浮上防止片４９の所定位置には後述の開閉扉３３の一対の戸車５９が挿入可能な一対の切欠き５１が設けられている。一対の切り欠き５１同士の間隔は一対の戸車５９同士の間隔と同間隔に設定されている。なお、浮上防止片４９における一対の切欠き５１が設けられる所定位置とは、開閉扉３３を完全に閉じた状態（後述するマグネット６３により枠体３１に吸着した状態）でない状態、換言すれば開閉扉３３を完全に閉じた状態から少し開いた状態における戸車５９に対向する位置である。このように、開閉扉３３を開方向に移動させた位置に設けるのは、開閉扉３３を取り外す意図がないと取り外せないようにするためであり、マグネット６３が吸着する通常位置（完全に閉じた位置）では外せないようにするものである。
【００２５】
枠体３１の固定扉設置側の上辺には、固定扉３５が後方に移動するのを防止する後方移動防止片５３が設けられている。なお、後方移動防止片５３と走行路４７とのあいだには隙間５５が形成されており、開閉扉３３が固定扉３５側へ移動できるようになっている。
【００２６】
＜開閉扉＞
開閉扉３３は、図２、図３に示すように、矩形状でその上辺には前方に張出す張出し片部５７が設けられ、この張出し片部５７に一対の戸車５９が設けられている。
また、開閉扉３３の下辺の底面には枠体３１のスライド溝３９に挿入可能な突起６１が設けられている。
さらに、開閉扉３３の両側辺部にはマグネット６３が設けられており、開閉扉３３を閉止した状態及び開放した状態で枠体３１に吸着して開閉扉３３を固定できるようになっている。
また、開閉扉３３の前面には開閉操作のための取っ手６５が設けられている（図１参照）。
上記のように構成された開閉扉３３は、戸車５９を枠体３１の走行路４７上に載置することで枠体３１に吊下げ支持され、突起６１がスライド溝３９にガイドされることで、枠体３１内をスライド可能になっている。
【００２７】
＜固定扉＞
固定扉３５は開閉扉３３と同様に矩形状をしており、底辺６７には枠体３１の係止穴４３に係止する係止突起６９（係止部に相当）が設けられている。
また、固定扉３５の背面側には図２、図３に示すように、持ち手７１が設けられている。
固定扉３５は、係止突起６９を係止穴４３に挿入すると共に上辺を枠体３１の後方移動防止片５３の前方側に配置して設置される。
【００２８】
枠体３１に開閉扉３３と固定扉３５を設置した状態では、図２に示すように、開閉扉３３が前方側で固定扉３５が後方側に配置される。そして、開閉扉３３を閉止した状態（図２参照）を含め、開閉扉３３が枠体３１内のいずれの位置にあるときでも開閉扉３３の一部又は全部が固定扉３５と前後方向で重なり合っている。
この状態で、開閉扉３３を左右方向で固定扉３５側に引くと戸車５９が走行路４７を転動すると共に開閉扉３３の底部に設けられた突起６１がスライド溝３９にガイドされて円滑にスライド移動する。
【００２９】
消火栓装置１の設置状態において、何らかの原因で開閉扉３３が固定扉３５側に移動して戸車５９が切欠き５１の位置に来て、この位置で何らかの原因で開閉扉３３が浮き上がったとしても、開閉扉３３の後方に固定扉３５があるため、開閉扉３３が斜めにならず開閉扉３３が外れることがない。即ち、開閉扉３３が固定扉３５と干渉して、固定扉３５を取り外さないと開閉扉３３は取り外しができないようになっている。
このように、開閉扉３３は偶然に作用する外力によって自然に外れることがなく、安全である。
【００３０】
次に、点検時等において扉を取り外す際の動作について説明する。
まず、開閉扉３３を開けて正面側から手を入れて固定扉３５の持ち手７１を持って少し持ち上げる。持ち上げることで、係止突起６９が係止穴４３から抜け出すので、この状態で固定扉３５を横方向に移動させる。図４に示す状態は、固定扉３５を開閉扉３３の真後ろまで移動させた状態を示している。図４の状態になると、固定扉３５の上辺が後方移動防止片５３から外れた位置になるので、固定扉３５を背面側に倒すことで取り外すことができる。
【００３１】
固定扉３５を取り外した状態で、開閉扉３３を取り外すには、開閉扉３３の戸車５９が切欠き５１の位置にくるように開閉扉３３を移動し、この位置で開閉扉３３を持ち上げる。開閉扉３３を持ち上げて突起６１がスライド溝３９から抜け出した位置で下部を手前に引くようにして開閉扉３３を斜めにすることで開閉扉３３を取り外すことができる（図５、図６参照）。
【００３２】
以上のように、本実施の形態においては、消火器扉１１を枠体３１内にスライド可能に設置された開閉扉３３と枠体３１内に固定設置された固定扉３５によって構成したことにより、以下の効果を奏している。
開閉扉３３をスライドする引き戸式にしたことにより、開閉に際して消火器扉１１の前方に張出すことがなく、消火器扉１１の前面側にスペースが不要であり、例えば消火栓装置１を監視員通路８３の壁面に設置した場合には避難や通行の邪魔になることがなく、また消火栓装置１を監視員通路８３に埋め込むように設置した場合には、事故車等が消火栓装置１の前面側で生じた場合でも開閉操作をすることができる。
また、固定扉３５を取り外さないと開閉扉３３が外れない構造にしたことで、消火栓装置１をトンネル内に設置して車の走行等に伴う振動や風圧を受けても開閉扉３３が不用意に外れることがなく安全である。
また、メンテナンス等において消火器扉１１を外す必要がある際には、固定扉３５と開閉扉３３の両方を取り外すことができ、メンテナンス等にも好適である。
【００３３】
なお、上記の実施の形態では、ホースを収納するホース収納部１９を有する消火栓装置１について説明したが、トンネル内には消火器のみを収容する消火器箱を設置することも考えられ、このような場合には、消火器箱にも上述した消火栓装置１の消火器扉１１と同様の扉を適用することができる。
すなわち、消火器箱を、実施の形態１の消火器扉１１と同様のものを備えた筺体で構成することで、上述と同様の効果を奏することができる。
【符号の説明】
【００３４】
１  消火栓装置
３  消火器収納部
５  筺体
７  前面パネル
９  開口部
１１  消火器扉
１３  本体部
１５  天板部
１７  張出し部
１９  ホース収納部
２１  前面開口部
２３  前面扉
２５  赤色表示灯
２７  非常ボタン
２９  非常ランプ
３１  枠体
３３  開閉扉
３５  固定扉
３７  底辺部
３９  スライド溝
４１  固定扉載置面部
４３  係止穴
４５  上辺部
４７  走行路
４９  浮上防止片
５１  切欠き
５３  後方移動防止片
５５  隙間
５７  張出し片部
５９  戸車
６１  突起
６３  マグネット
６５  取っ手
６７  底辺
６９  係止突起
７１  持ち手
＜監視員通路＞
８１  トンネル壁面
８３  監視員通路
８５  車道
８７  設置用空間
８９  前壁
９１  開口縁部
【図１】
2019005343.tif 000003
【図２】
2019005343.tif 000004
【図３】
2019005343.tif 000005
【図４】
2019005343.tif 000006
【図５】
2019005343.tif 000007
【図６】
2019005343.tif 000008
【図７】
2019005343.tif 000009